(57)【要約】  【課題】  トラフ本体及び蓋を切断して長さを短く調整したり、例えば、雌部と雌部を接続する必要が生じた場合でも、他のトラフ本体及び蓋と嵌入接続が可能なトラフを提供することを目的とする。  【解決手段】  左右側壁と底壁とを有し上部が開口しているトラフ本体と、該トラフ本体の開口を塞ぐ蓋とからなり、前記トラフ本体同士及び前記蓋同士は長手方向に接続されて延長可能になっているトラフにおいて、前記トラフ本体の一端部の側壁の外面には突縁が形成された雄部が、また前記トラフの他端部の側壁の外面には前記雄部が嵌合できる受け部が形成された雌部がそれぞれ設けられており、かつ前記トラフ本体には前記雄部と前記雌部との間に更に雄部が設けられていることを特徴とするトラフである。  【選択図】  図１
2006136117.tif 000002
【特許請求の範囲】
【請求項１】
左右側壁と底壁とを有し上部が開口しているトラフ本体と、該トラフ本体の開口を塞ぐ蓋とからなり、前記トラフ本体同士及び前記蓋同士は長手方向に接続されて延長可能になっているトラフにおいて、前記トラフ本体の一端部の側壁の外面には突縁が形成された雄部が、また前記トラフの他端部の側壁の外面には前記雄部が嵌合できる受け部が形成された雌部がそれぞれ設けられており、かつ前記トラフ本体には前記雄部と前記雌部との間に更に雄部が設けられていることを特徴とするトラフ。
【請求項２】
前記雄部と雌部との間に更に設けられた雄部は、前記雌部の前記受け部２つを直列置きして連結できる間隔を有して形成された２以上の突縁部を備えていることを特徴とする請求項１に記載のトラフ。
【請求項３】
前記蓋は断面コ字状の蓋本体と、蓋本体に挿入する挿入部とが、接続部を介して接続されたものであることを特徴とする請求項１または請求項２に記載のトラフ。
【発明の詳細な説明】
【技術分野】
【０００１】
本発明は、鉄道の線路脇等に設置されて、その内部にケーブル等を収納するのに用いるトラフに関するものである。
【背景技術】
【０００２】
従来この種のトラフとしては、左右の側壁と底壁とを有し、上部が開口したトラフ本体と該トラフ本体の開口を塞ぐ蓋とからなり、ケーブル等を収納するためにトラフ本体同士及び蓋同士をそれぞれ直列置きして延長し、蓋をトラフ本体上に載せてその開口を塞ぐようにしたコンクリート製のものが知られている。
【０００３】
しかしながら、ケーブル等を収納するためにコンクリート製のトラフ本体同士及び蓋同士をそれぞれ直列置きして延長しただけのものでは、コンクリートが腐食したり、地震が発生してトラフが動いたりすることにより、トラフ自体やトラフとトラフの間に隙間が発生し、その隙間からネズミが侵入してトラフ内部のケーブルをかじって断線させたりする問題があった。
【０００４】
そこで、特許文献１では図１３に示すように、左右の側壁２１と、底壁２２とを有していて、上部が開口しているトラフ本体２と、トラフ本体２の開口を塞ぐ蓋３とからなっている樹脂製のトラフ１であって、このトラフ本体２同士及び蓋３同士を嵌入接続して長手方向に延長するトラフ１が提案されている。このトラフ本体２同士及び蓋３同士を嵌入接続して長手方向に延長する場合は、図１３に示すように、トラフ本体２の一端部の底壁２２に形成された突縁部３１を有する雄部３０を、図１４に示すトラフ本体２の他方の側の底壁２２に形成された溝部３２を有する雌部４０に、図１５に示すように嵌入することで、順次長手方向にトラフ本体２同士を嵌入接続して延長する。尚、蓋３は図１５では省略されているが、このようにして長手方向に所望長さ延長したトラフ本体２内にケーブル等が収納された後、開口部には蓋３をやはり嵌入接続して被せる。
【０００５】
特許文献１のトラフ本体２は雄部３０の突縁部３１を雌部４０の溝部３２に上方から嵌入させることによって簡単に接続することができる。更に、嵌入により接続されているため、地震等によりトラフ本体２同士が離れる方向に移動した場合に於いても、トラフ本体２同士の嵌入部に隙間が発生することがなく、従ってネズミ等がトラフ１内部に侵入してトラフ内部のケーブルをかじって断線させたりすることがない。また、樹脂製であるために、腐食はほとんど発生せず、割れ、欠け等も発生しない。尚、樹脂製トラフの場合には、熱膨張によるトラフ本体２の伸縮が発生するが、この場合も嵌入接続されていることでトラフ本体２同士の嵌入部に隙間が発生することがない。言うまでもなく、蓋３についても嵌入接続されていることにより同様に隙間が発生することがない。
【０００６】
【特許文献１】特開２０００−５５２４０号公報
【発明の開示】
【発明が解決しようとする課題】
【０００７】
しかし、トラフを設置する場合、設置する長さは必ずしもトラフ本体及び蓋の長さの整数倍ではない。すなわち、設置していない部分として、トラフ本体及び蓋の長さよりも短い空間が残ってしまう場合があるが、その空間にはもはやトラフ本体及び蓋を配置することはできない。従来ではこの場合、トラフ本体及び蓋を切断して長さを調整した短尺のトラフ本体及び蓋をその空間に配置していた。しかし、トラフ本体及び蓋において雄部または雌部が切除されてしまうと、他のトラフ本体及び蓋とはもはや嵌入接続することはできない。つまり、長さ調整した短尺のトラフ本体及び蓋は、他のトラフ本体及び蓋と端面が接するように載置するだけとなり、トラフの熱収縮が発生した場合や地震等によりトラフ同士及び蓋同士が離れる方向に移動した場合には、たとえそれ以外の部分が全て嵌入接続されていて隙間が発生しない構造になっていたとしても、長さ調整した短尺のトラフ本体及び蓋と他のトラフ本体及び蓋との間に発生した隙間からネズミが侵入し、トラフ内部のケーブルをかじって断線させてしまう危険が生じる。尚、蓋を切断して長さを調節した短尺の蓋を載置した場合には、樹脂製の蓋は軽量であるため、風等により飛ばされてしまう危険も生じる。
【０００８】
一方、トラフを設置する場合は一方向のみから設置するだけではなく、数箇所で同時に設置していく場合が多い。この場合、最後に対向するトラフが雄部と雌部である場合には問題なく嵌入接続することができるが、最後に対向したトラフが雌部と雌部であったり、雄部と雄部であった場合には雌部同士及び雄部同士は嵌入接続することができず、前述のようにトラフを載置するだけとなり、やはり、隙間が発生してしまう問題が生じる。
【０００９】
本発明はこのような問題点に鑑みてなされたもので、トラフ本体及び蓋を切断して長さを短く調整したり、例えば、雌部と雌部を接続する必要が生じた場合でも、他のトラフ本体及び蓋と嵌入接続が可能なトラフを提供することを目的とする。
【課題を解決するための手段】
【００１０】
前記目的を達成すべく本発明の請求項１に記載のトラフは、左右側壁と底壁とを有し上部が開口しているトラフ本体と、該トラフ本体の開口を塞ぐ蓋とからなり、前記トラフ本体同士及び前記蓋同士は長手方向に接続されて延長可能になっているトラフにおいて、前記トラフ本体の一端部の側壁の外面には突縁が形成された雄部が、また前記トラフの他端部の側壁の外面には前記雄部が嵌合できる受け部が形成された雌部がそれぞれ設けられており、かつ前記トラフ本体には前記雄部と前記雌部との間に更に雄部が設けられていることを特徴とするものである。
【００１１】
このようにしてなる請求項１に記載のトラフにおいては、トラフ本体の雄部と雌部との間の任意の位置に更に雄部が形成されているため、この雄部と雌部との間の任意の位置に形成された雄部が端部にくるようにしてトラフ本体を切断すれば、一端に雄部、他端に雌部を有する短尺のトラフ本体を得ることができる。
【００１２】
更に、前記目的を達成すべく本発明の請求項２に記載のトラフは前記雄部と雌部との間に更に設けられた雄部は、前記雌部の前記受け部２つを直列置きして連結できる間隔を有して形成された２以上の突縁部を備えていることを特徴とするものである。
【００１３】
このようにしてなる請求項２に記載のトラフにおいては、２以上の突縁部が雌部の受け部２つを直列置きして連結できる間隔で形成されているため、トラフの設置において、最後に対向したトラフが雌部と雌部であった場合には雄部と雌部との間のトラフ本体の中間部に設けられた雄部に形成された２以上の突縁部のうち隣接する任意の２つの突縁部を切り出すことで、雌−雌アダプターとすることができる。すなわち、雌部と雌部が対向してしまった場合には、別のトラフ本体から２つの突縁部を切り出して雌−雌アダプターとし、対向した２つの雌部の受け部同士を並べて、切り出した雌−雌アダプターを用いて嵌入接続すれば良い。
【００１４】
更に、前記目的を達成すべく本発明の請求項３に記載のトラフは、蓋を断面コ字状の蓋本体と、コ字状の蓋本体に挿入する挿入部とが、接続部を介して一体成形したことを特徴とするものである。
【００１５】
このようにしてなる請求項３に記載のトラフにおいては、蓋を断面コ字状の蓋本体と、コ字状の蓋本体の内部空間に挿入させて接続させる挿入部とが、接続部を介して一体成形されていることから、コ字状の蓋本体を任意な位置で切断しさえすれば、一端にコ字状の蓋本体と他端に挿入部とを有する短尺の蓋を得ることができる。
【００１６】
尚、蓋から挿入部と接続部を切除すれば、両端がコ字状の蓋本体のみとなり、すなわち、挿入部−挿入部の接続アダプターとなる。蓋の挿入部と挿入部とが対向してしまった場合には挿入部−挿入部の接続アダプターを用いて挿入接続すれば良い。
【発明の効果】
【００１７】
以上のように本発明のトラフによれば、トラフ本体及び蓋を切断して長さを短く調整したり、例えば、雌部と雌部を接続する必要が生じた場合でも、他のトラフ本体及び蓋と嵌入接続が可能なトラフを提供することができる。
【発明を実施するための最良の形態】
【００１８】
図１は、本発明の第一の実施形態に係るトラフ本体２の斜視図である。図１では、左右の側壁２１と底壁２２とから成る上部が開口した再生プラスチック製のトラフ本体２において、トラフ本体２の一端に、側壁２１の外面に突縁部３１と周方向の溝部３２とが突縁部３１が端面側に位置するように隣接して形成された雄部３０と、他端には突縁部３１が緩く嵌合できる受け部４１と雄部３０の底壁２２を載置する載置部４２とから成る雌部４０が形成されている。また、トラフ本体２の雄部３０と雌部４０の間には、雌部４０寄りに、突縁部７１及び溝部７２から成る雄部７０を２組設けてある。ここで、２つの突縁部７１は雌部４０の受け部４１を２つ直列置きした時に連結できる間隔で形成されている。
【００１９】
このトラフ本体２を長手方向に延長していく場合には、一方のトラフ本体２の雌部４０に形成された受け部４１に対して、接続する他方のトラフ本体２の雄部３０に形成された突縁部３１が嵌まり込むように他方のトラフ本体２を上から嵌入接続させる。本発明の第一の実施形態に係るトラフ本体２では、雄部３０の突縁部３１に溝部３２を形成することにより、受け部４１との嵌入をより強固にしている。更に、雌部４０の受け部４１は突縁部３１が緩く嵌合できるように形成されていることで、トラフ本体２の嵌入接続部には適度な遊びが存在し、例えば、少しの長さ調整で良い場合や熱膨張等による伸縮等が発生した場合には遊びの範囲内での対応が可能となる。また、雌部４０に雄部３０の底壁２２を載置する載置部４２を形成したことで、雄部４０の底壁２２が雌部４０の載置部４２と互いの一部が重なり合い、前記のように遊びの範囲で雄部３０と雌部４０が動く等した場合でも、雄部３０と雌部４０との底面に隙間が発生することがない。
【００２０】
図２は図１に示した本発明の第一の実施形態に係るトラフ本体２を雄部７０が端にくるようにしてＡ−Ａで切断し、長さを調整した短尺のトラフ本体１２の端面図である。Ａ−Ａで切断した短尺のトラフ本体１２の一端には切断前のトラフ本体２の雌部４０がそのまま残っている。一方、他端には切断前のトラフ本体２の雄部３０と雌部４０の間に形成された突縁部７１及び溝部７２が雌部４０に嵌入可能な状態で端面に現れている。ここで、切断前のトラフ本体の全長は１００ｃｍ、Ａ−Ａで切断した短尺のトラフ本体１２の全長は４０ｃｍである。短尺のトラフ本体１２において、切断前のトラフ本体２の雄部３０と雌部４０の間に形成された雄部７０の突縁部７１及び溝部７２を他のトラフ本体２の雌部４０の受け部４１に嵌合させることにより、短尺のトラフ本体１２と他のトラフ本体２とを嵌合接続できる。尚、図３に短尺のトラフ本体１２と他のトラフ本体２とを嵌合接続させたものを示す。
【００２１】
一方、図４は図１に示した本発明の第一の実施形態に係るトラフ本体をＢ−Ｂで切断した雌−雌アダプター１４の斜視図である。雌−雌アダプター１４の２つの突縁部７１は雌部４０と雌部４０を対向して配置した場合に、対向する雌部４０の２つの受け部４１同士を緩く連結できる間隔で形成されているため、この２つの突縁部７１が両端に位置するようにトラフ本体２を切断することで、雌部４０と雌部４０とを嵌入接続させる雌−雌アダプター１４とすることができる。すなわち、トラフ本体２の設置において、最後にトラフ本体２の雌部４０と他のトラフ本体２の雌部４０とが対向してしまった場合には、別のトラフ本体２から雌−雌アダプター１４を切り出して嵌入接続させれば良い。図５に雌−雌アダプター１４を用いてトラフ本体２の雌部４０同士を嵌入接続させたものを示す。ここで、２つの突縁部７１が、対向する雌部４０の２つの受け部４１同士を緩く連結できる間隔で形成されていることで、トラフ本体２の嵌入接続部には適度な遊びがあり、例えば、少しの長さ調整で良い場合や熱膨張等による伸縮等が発生した場合には遊びの範囲内での対応が可能となる。
【００２２】
次に、本発明の第二の実施形態に係る蓋３の斜視図を図６に示す。図６に示す蓋３は、断面コ字状の蓋本体６０と蓋本体６０の内部空間に挿入できる大きさの断面方形状の挿入部６１が板状の接続部６２を介して一体成形されている。蓋３を長手方向に延長していく場合には、一方の蓋３の挿入部６１を、他方の蓋３の断面コ字状の内部空間に挿入させるように滑り込ませて挿入接続させる。
【００２３】
図７は図６に示した本発明の第二の実施形態に係る蓋３をＣ−Ｃで切断した挿入部側である短尺の蓋１３の斜視図である。本発明の第二の実施形態に係る蓋３において、蓋本体６０は全長が断面コ字状体であるため、蓋本体６０を任意の位置で切断しても、いずれも断面コ字状となり、すなわち、他の蓋３の挿入部６１を内部空間に挿入接続させることができる。短尺の蓋１３と他の蓋３とを挿入接続させたものを図８に示す。
【００２４】
また、図９は図６に示した本発明の第二の実施形態に係る蓋３をＣ−Ｃで切断した挿入部側とは反対側である挿入部アダプター１５の斜視図である。本発明の第二の実施形態に係る蓋３において、一端に形成された挿入部６１と接続部６２とを切除してしまえば、全長がコ字状の蓋本体６０となり、すなわち、両端に他の蓋３の挿入部６１を挿入することができるようになる。つまり、設置の最後に蓋３の挿入部６１と他の蓋３の挿入部６１が対向してしまった場合には、別の蓋３から挿入部アダプター１５を切り出して対向する蓋３の挿入部６１をそれぞれ両端に挿入接続させれば良い。図１０に挿入部アダプター１５を用いて対向する蓋３の挿入部６１をそれぞれ挿入接続したものを示す。尚、再生プラスチック製の蓋は重量が軽いため、トラフ本体２の上にのせるだけの状態となる挿入部アダプター１５は風等で飛ばされてしまう危険性が高い。この場合は、図１１に示すような蓋３と挿入アダプター１５とを連結して固定する蓋連結具６３を用いることが望ましい。図１０では、蓋連結具６３を用いて蓋３と挿入部アダプター１５とを固定した状態を示している。
【００２５】
図１２は本発明の第三の実施形態に係る短尺のトラフ１１とトラフ１とを接続したものの斜視図である。ここで、短尺のトラフ１１は全長が２５ｃｍであり、トラフ１は全長が１００ｃｍである。図１２では、短尺のトラフ本体１２とトラフ本体２を嵌入接続したものの開口部を短尺の蓋１３と蓋３を挿入接続したもので塞ぎ、トラフ本体２と蓋３及び短尺のトラフ本体１２と短尺の蓋１３とをそれぞれ蓋固定治具６４で固定したものである。トラフ本体２の雌部４０の側壁２１には蓋固定治具６４を係止させるための突起部４３が形成されている。また、蓋３の上面には挿入部６１側とその反対側の上面に蓋固定治具６４を係止させるための溝部７２が形成されている。蓋３をトラフ本体２に固定する場合には蓋３の上面に形成された溝部７２のうち、挿入部６１の反対側に形成された溝部７２に蓋固定治具６４を係止し、短尺の蓋１３においては挿入部６１側の上面に形成した溝部７２に蓋固定治具６４を係止する。
【００２６】
また、本実施例においては、トラフ本体２の雄部３０以外の部分にヒレ状の足部５１を形成した。ヒレ状の足部５１を形成することにより、トラフ１を安定して据え付けることが可能となる。更に、トラフ本体２の任意の位置の側壁２１の外面には補強用の補強部材５２を形成した。補強部材５２を形成しておくことで、トラフ本体２に側圧や押圧がかかった場合でも変形等の生じず、良好な機械特性を得ることができる。尚、図示はしていないが、蓋３の上面には蓋３の上を人が歩く時に滑らないための滑り止め用の突起を形成しておくことが望ましい。
【００２７】
尚、本実施例に示した突縁部３１はいずれも断面方形状の柱状体であるが、突縁部３１は断面方形状の柱状体に限定されることはなく、例えば、断面半円状の半円柱状体や、一部のみが側壁２１と接触しているたとえばＬ字状体等でも良い。言うまでもなく、雌部４０に形成する受け部４１は雄部３０に形成された突縁部３１と嵌入接続できる形状であれば良い。また、トラフ本体２の雄部３０と雌部４０の間に複数の雄部７０を形成しておけば、様々な寸法の短尺のトラフ本体１２を得ることができる。
【００２８】
更に、本発明に係る蓋３は断面コ字状の蓋本体６０に挿入部６１を挿入して挿入接続しているが、ここで、断面コ字状とは、コ状の形状に限定するものではなく、挿入部を内部に係止できる形状であることを意味する。例えば、断面が楕円である筒状の蓋本体６０の内部に断面楕円状の挿入部６１を挿入して挿入接続しても良い。
【００２９】
以上のようにしてなる本発明のトラフによれば、トラフ本体及び蓋を切断して短尺にしたり、雌部と雌部が対向した場合でも、他のトラフ本体及び蓋と嵌入接続が可能なトラフを提供することができる。
【図面の簡単な説明】
【００３０】
【図１】本発明の第一の実施形態に係るトラフ本体の斜視図である。
【図２】本発明の第一の実施形態に係るトラフ本体をＡ−Ａで切断した短尺のトラフ本体の斜視図である。
【図３】本発明の第一の実施形態に係るトラフ本体をＡ−Ａで切断した短尺のトラフ本体とトラフ本体とを嵌入接続したものの斜視図である。
【図４】本発明の第一の実施形態に係るトラフ本体をＢ−Ｂで切断した雌−雌アダプターの斜視図である。
【図５】本発明の第一の実施形態に係るトラフ本体をＢ−Ｂで切断した雌−雌アダプターを用いてトラフ本体を嵌入接続したものの斜視図である。
【図６】本発明の第二の実施形態に係る蓋の斜視図である。
【図７】本発明の第二の実施形態に係る蓋をＣ−Ｃで切断した挿入部側である短尺の蓋の斜視図である。
【図８】本発明の第二の実施形態に係る蓋をＣ−Ｃで切断した挿入部側である短尺の蓋と蓋とを挿入接続したものの斜視図である。
【図９】本発明の第二の実施形態に係る蓋をＣ−Ｃで切断した挿入部とは反対側の挿入部アダプターの斜視図である。
【図１０】本発明の第二の実施形態に係る蓋をＣ−Ｃで切断した挿入部とは反対側である挿入部アダプターを用いて蓋を挿入接続したものの斜視図である。
【図１１】蓋連結冶具の側面図の一例である。
【図１２】本発明の第三の実施形態に係る短尺のトラフとトラフを接続したものの斜視図である。
【図１３】従来の樹脂製トラフの斜視図である。
【図１４】従来の樹脂製トラフの一端部を示す一部斜視図である。
【図１５】従来の樹脂製トラフ同士を嵌入接続したものの断面側壁図である。
【符号の説明】
【００３１】
１  トラフ
２  トラフ本体
３  蓋
１１  短尺のトラフ
１２  短尺のトラフ本体
１３  短尺の蓋
１４  雌−雌アダプター
１５  挿入部アダプター
２１  側壁
２２  底壁
３０、７０  雄部
３１、７１  突縁部
３２、７２  溝部
４０  雌部
４１  受け部
４２  載置部
４３  突起部
５１  足部
５２  補強部材
６０  蓋本体
６１  挿入部
６２  接続部
６３  蓋連結具
６４  蓋固定治具
７０  中間部に形成された雄部
【図１】
2006136117.tif 000003
【図２】
2006136117.tif 000004
【図３】
2006136117.tif 000005
【図４】
2006136117.tif 000006
【図５】
2006136117.tif 000007
【図６】
2006136117.tif 000008
【図７】
2006136117.tif 000009
【図８】
2006136117.tif 000010
【図９】
2006136117.tif 000011
【図１０】
2006136117.tif 000012
【図１１】
2006136117.tif 000013
【図１２】
2006136117.tif 000014
【図１３】
2006136117.tif 000015
【図１４】
2006136117.tif 000016
【図１５】
2006136117.tif 000017